【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
光源と、
前記光源から入射された入射光を前記入射光よりも長波長の光に変換する有機発光材料を含む色変換フィルムと、
異なる複数の熱可塑性樹脂が交互に１１層以上積層されてなる積層フィルムと、を含み、
前記有機発光材料が一般式（１）で表される化合物を含有する
ことを特徴とする光源ユニット。
【化１】
2018163357.tif 000001
（ＸはＣ−Ｒ７またはＮである。Ｒ１〜Ｒ９はそれぞれ同じでも異なっていてもよく、水素、アルキル基、シクロアルキル基、複素環基、アルケニル基、シクロアルケニル基、アルキニル基、水酸基、チオール基、アルコキシ基、アルキルチオ基、アリールエーテル基、アリールチオエーテル基、アリール基、ヘテロアリール基、ハロゲン、シアノ基、アルデヒド基、カルボニル基、カルボキシル基、オキシカルボニル基、カルバモイル基、アミノ基、ニトロ基、シリル基、シロキサニル基、ボリル基、ホスフィンオキシド基、および隣接置換基との間に形成される縮合環および脂肪族環の中から選ばれる。）
【請求項２】
前記積層フィルムは、前記有機発光材料によって前記入射光よりも長波長に変換された光の、入射角度６０°における反射率が７０％以上である積層フィルムである
ことを特徴とする請求項１に記載の光源ユニット。
【請求項３】
前記積層フィルムは、前記光源から前記積層フィルムに入射される入射光の、入射角度１０°における反射率が２０％以下である積層フィルムである
ことを特徴とする請求項１または２に記載の光源ユニット。
【請求項４】
一般式（１）において、ＸがＣ−Ｒ７であり、Ｒ７が一般式（２）で表される基である
ことを特徴とする請求項１〜３のいずれか１項に記載の光源ユニット。
【化２】
2018163357.tif 000002
（ｒは、水素、アルキル基、シクロアルキル基、複素環基、アルケニル基、シクロアルケニル基、アルキニル基、水酸基、チオール基、アルコキシ基、アルキルチオ基、アリールエーテル基、アリールチオエーテル基、アリール基、ヘテロアリール基、ハロゲン、シアノ基、アルデヒド基、カルボニル基、カルボキシル基、オキシカルボニル基、カルバモイル基、アミノ基、ニトロ基、シリル基、シロキサニル基、ボリル基、ホスフィンオキシド基からなる群より選ばれる。ｋは１〜３の整数である。ｋが２以上である場合、ｒはそれぞれ同じでも異なっても良い。）
【請求項５】
一般式（１）において、Ｒ１、Ｒ３、Ｒ４およびＲ６がそれぞれ同じでも異なっていてもよく、置換もしくは無置換のフェニル基である
ことを特徴とする請求項１〜４のいずれか１項に記載の光源ユニット。
【請求項６】
一般式（１）において、Ｒ１、Ｒ３、Ｒ４およびＲ６がそれぞれ同じでも異なっていてもよく、置換もしくは無置換のアルキル基である
ことを特徴とする請求項１〜４のいずれか１項に記載の光源ユニット。
【請求項７】
前記有機発光材料のピーク波長が５００ｎｍ以上５８０ｎｍ以下の領域に観測される発光を呈する
ことを特徴とする請求項１〜６のいずれか１項に記載の光源ユニット。
【請求項８】
前記有機発光材料が以下の有機発光材料（ａ）および（ｂ）を含有する
ことを特徴とする請求項１〜７のいずれか１項に記載の光源ユニット。
（ａ）光源から入射された入射光により励起されることにより、ピーク波長が５００ｎｍ以上５８０ｎｍ以下の領域に観測される発光を呈する有機発光材料
（ｂ）光源から入射された入射光もしくは有機発光材料（ａ）からの発光の少なくとも一方により励起されることにより、ピーク波長が５８０ｎｍ以上７５０ｎｍ以下の領域に観測される発光を呈する有機発光材料
【請求項９】
前記有機発光材料（ａ）もしくは（ｂ）のいずれか一方または両方が一般式（１）で表される化合物である
ことを特徴とする請求項８に記載の光源ユニット。
【化３】
2018163357.tif 000003
（ＸはＣ−Ｒ７またはＮである。Ｒ１〜Ｒ９はそれぞれ同じでも異なっていてもよく、水素、アルキル基、シクロアルキル基、複素環基、アルケニル基、シクロアルケニル基、アルキニル基、水酸基、チオール基、アルコキシ基、アルキルチオ基、アリールエーテル基、アリールチオエーテル基、アリール基、ヘテロアリール基、ハロゲン、シアノ基、アルデヒド基、カルボニル基、カルボキシル基、オキシカルボニル基、カルバモイル基、アミノ基、ニトロ基、シリル基、シロキサニル基、ボリル基、ホスフィンオキシド基、および隣接置換基との間に形成される縮合環および脂肪族環の中から選ばれる。）
【請求項１０】
前記色変換フィルムが少なくとも以下の（Ａ）層および（Ｂ）層を含む積層体である
ことを特徴とする請求項１〜９のいずれか１項に記載の光源ユニット。
（Ａ）光源から入射された入射光により励起されることにより、ピーク波長が５００ｎｍ以上５８０ｎｍ以下の領域に観測される発光を呈する有機発光材料（ａ）を含有する層
（Ｂ）光源から入射された入射光もしくは有機発光材料（ａ）からの発光の少なくとも一方により励起されることにより、ピーク波長が５８０ｎｍ以上７５０ｎｍ以下の領域に観測される発光を呈する有機発光材料（ｂ）を含有する層
【請求項１１】
前記色変換フィルムと前記積層フィルムとを含む積層体を有する
ことを特徴とする請求項１〜１０のいずれか１項に記載の光源ユニット。
【請求項１２】
前記色変換フィルムのいずれか一方または両方の面に光拡散フィルムが積層されてなる
ことを特徴とする請求項１〜１１のいずれか１項に記載の光源ユニット。
【請求項１３】
前記色変換フィルムの光出射面に、プリズムシートが設けられてなる
ことを特徴とする請求項１〜１２のいずれか１項に記載の光源ユニット。
【請求項１４】
前記色変換フィルムまたは前記積層フィルムの表面に機能層が設けられてなり、前記積層フィルムの屈折率をｎ１、前記色変換フィルムの屈折率をｎ２としたとき、前記機能層の屈折率ｎ３がｎ１とｎ２の間となる
ことを特徴とする請求項１〜１３のいずれか１項に記載の光源ユニット。
【請求項１５】
前記積層フィルムまたは前記色変換フィルムの表面が凹凸形状を有する
ことを特徴とする請求項１〜１４のいずれか１項に記載の光源ユニット。
【請求項１６】
前記凹凸形状がレンズ形状、略三角形状、または略半円形状である
ことを特徴とする請求項１５に記載の光源ユニット。
【請求項１７】
前記積層フィルムまたは色変換フィルムが、前記光源から前記積層フィルムまたは色変換フィルムに入射される入射光の入射角度と出射光の出射角度との差が５°以上である
ことを特徴とする請求項１〜１６のいずれか１項に記載の光源ユニット。
【請求項１８】
前記積層フィルムが、入射角度１０°において波長３００ｎｍ以上４１０ｎｍ以下の光の反射率が２０％以上、または入射角度１０°において３００ｎｍ以上４１０ｎｍ以下の光の吸収率が１０％以上である
ことを特徴とする請求項３に記載の光源ユニット。
【請求項１９】
前記積層フィルムが紫外線吸収剤を含む
ことを特徴とする請求項３または１８に記載の光源ユニット。
【請求項２０】
前記積層フィルムの少なくとも片面に紫外線吸収剤を含む樹脂層を含む
ことを特徴とする請求項３、１８または１９に記載の光源ユニット。
【請求項２１】
前記紫外線吸収剤が、アントラキノン、アゾメチン、インドール、トリアジン、ナフタルイミド、フタロシアニンのいずれかの骨格を有する紫外線吸収剤を含む
ことを特徴とする請求項１９または２０に記載の光源ユニット。
【請求項２２】
前記積層フィルムが、前記光源と前記色変換フィルムの間に設けられてなる
ことを特徴とする請求項１〜２１のいずれか１項に記載の光源ユニット。
【請求項２３】
前記光源が４００ｎｍ以上５００ｎｍ以下の範囲に極大発光を有する発光ダイオードである
ことを特徴とする請求項１〜２２のいずれか１項に記載の光源ユニット。
【請求項２４】
前記光源が４３０ｎｍ以上４７０ｎｍ以下の範囲に極大発光を有し、かつ発光波長領域が４００ｎｍ以上５００ｎｍ以下の範囲を有する発光ダイオードであって、光源の発光スペクトルが、数式（３）を満たす
ことを特徴とする請求項２３に記載の光源ユニット。
【数１】
2018163357.tif 000004
（αは、発光スペクトルの発光波長ピークにおける発光強度であり、βは発光波長ピーク＋１５ｎｍの波長における発光強度である。）
【請求項２５】
前記光源が４５５ｎｍ以上４６５ｎｍ以下の範囲に極大発光を有する
ことを特徴とする請求項２４に記載の光源ユニット。
【請求項２６】
入射光を前記入射光よりも長波長の光に変換する有機発光材料を含む色変換フィルムと、異なる複数の熱可塑性樹脂が交互に１１層以上積層されてなる積層フィルムとを含み、
前記有機発光材料が一般式（１）で表される化合物を含有する
ことを特徴とする積層部材。
【化４】
2018163357.tif 000005
（ＸはＣ−Ｒ７またはＮである。Ｒ１〜Ｒ９はそれぞれ同じでも異なっていてもよく、水素、アルキル基、シクロアルキル基、複素環基、アルケニル基、シクロアルケニル基、アルキニル基、水酸基、チオール基、アルコキシ基、アルキルチオ基、アリールエーテル基、アリールチオエーテル基、アリール基、ヘテロアリール基、ハロゲン、シアノ基、アルデヒド基、カルボニル基、カルボキシル基、オキシカルボニル基、カルバモイル基、アミノ基、ニトロ基、シリル基、シロキサニル基、ボリル基、ホスフィンオキシド基、および隣接置換基との間に形成される縮合環および脂肪族環の中から選ばれる。）
【請求項２７】
請求項１〜２５のいずれか１項に記載の光源ユニットを備える
ことを特徴とするディスプレイ。
【請求項２８】
請求項１〜２５のいずれか１項に記載の光源ユニットを備える
ことを特徴とする照明装置。